(57)【要約】【課題】本発明の課題は、複数の板状体の貫通孔部に流体を流通させることにより流体を混合する静止型混合装置を改良することであり、特に、粒子径がより細かい分散体を簡単に得ることができる静止型混合装置を提供する。【解決手段】貫通孔部９を有する少なくとも２枚の板状体３を備え、前記各板状体３の貫通孔部９に流体を流通させることによりこれを混合する装置であって、前記板状体３のうちから任意に選ばれる隣合う２枚の板状体の一方３ａには、貫通孔部９が複数形成されており、他方の板状体３ｂには、貫通孔部９が１個形成されている静止型混合装置を解決手段とする。【選択図】      図１
2004255320.tif 000002
【特許請求の範囲】
【請求項１】
貫通孔部を有する少なくとも２枚の板状体を備え、前記各板状体の貫通孔部に流体を流通させることによりこれを混合する静止型混合装置であって、
前記板状体のうちから任意に選ばれる隣合う２枚の板状体の一方には、貫通孔部が複数形成されており、他方の板状体には、貫通孔部が１個形成されていることを特徴とする静止型混合装置。
【請求項２】
貫通孔部を有する少なくとも２枚の板状体を備え、前記各板状体の貫通孔部によって流体の流通路が構成されている静止型混合装置であって、
前記板状体のうちから任意に選ばれる隣合う２枚の板状体間に於ける流通路が、一方の板状体の複数の貫通孔部と他方の板状体の１個の貫通孔部によって構成されていることを特徴とする静止型混合装置。
【請求項３】
前記一方の板状体の貫通孔部の総貫通面積が、他方の板状体の貫通孔部の総貫通面積の１．５倍以上である請求項１又は２に記載の静止型混合装置。
【請求項４】
前記隣合う２枚の板状体の貫通孔部は、その貫通面積が同じに形成されている請求項１〜３の何れかに記載の静止型混合装置。
【請求項５】
複数の貫通孔部を有する少なくとも２枚の板状体を備え、前記各板状体の貫通孔部に流体を流通させることによりこれを混合する静止型混合装置であって、
前記板状体のうちから任意に選ばれる隣合う２枚の板状体は、一方の板状体の貫通孔部の総貫通面積が他方の板状体の貫通孔部の総貫通面積の１．５倍以上であることを特徴とする静止型混合装置。
【請求項６】
前記一方の板状体の貫通孔の中心点と他方の板状体の貫通孔部の中心点が異なる位置となるように板状体が設けられている請求項１〜５の何れかに記載の静止型混合装置。
【請求項７】
前記隣合う２枚の板状体のうち、一方の板状体が、他方の板状体よりも流体の下流側に設けられている請求項１〜６の何れかに記載の静止型混合装置。
【請求項８】
前記貫通孔部は、板状体の一面から他面方向に次第に縮径する縮径開口部を有する請求項１〜７の何れかに記載の静止型混合装置。
【発明の詳細な説明】
【０００１】
【発明の属する技術分野】
本発明は、複数の板状体の貫通孔部に流体を流通させることにより流体を混合する静止型混合装置の改良に関する。なお、請求項を含め本明細書において、混合とは、流体を混ぜ合わすことをいい、分散・溶解などを含む意味である。
【０００２】
【従来の技術】
従来、この種の装置として、本発明者らが既に提案した特開２０００−２５４４６９に記載のものが知られている。
この装置は、複数の孔部が穿設されてなる複数種のディスク形のエレメントが筒状ケース体内に組み合わされた構造からなり、そのケース体内に流体を流すことにより、エレメントの複数の孔部に流体が流通する間に集合・分離を繰り返し、優れた混合効果を得ることができるものである。
このようにかかる装置は、簡単に流体混合を実現できるものであるが、より混合効率に優れたものが望まれていた。特に、粒子径がより細かい分散体を簡単に得ることが望まれていた。
【０００３】
【特許文献１】
特開２０００−２５４４６９号公報（第４−５頁、図１等）
【０００４】
【発明が解決しようとする課題】
本発明は、この種の静止型混合装置の改良を目的とするものである。また、極めて粒子の細かい分散体を簡単に作製できる静止型混合装置を提供することを目的とする。
【０００５】
【課題を解決するための手段】
そこで、本発明の第１の手段は、貫通孔部を有する少なくとも２枚の板状体を備え、前記各板状体の貫通孔部に流体を流通させることによりこれを混合する静止型混合装置であって、前記板状体のうちから任意に選ばれる隣合う２枚の板状体の一方には、貫通孔部が複数形成されており、他方の板状体には、貫通孔部が１個形成されている静止型混合装置に係る。
【０００６】
また、本発明の第２の手段は、貫通孔部を有する少なくとも２枚の板状体を備え、前記各板状体の貫通孔部によって流体の流通路が構成されている静止型混合装置であって、前記板状体のうちから任意に選ばれる隣合う２枚の板状体間に於ける流通路が、一方の板状体の複数の貫通孔部と他方の板状体の１個の貫通孔部によって構成されている静止型混合装置に係る。
【０００７】
さらに、前記一方の板状体の貫通孔部の総貫通面積が、他方の板状体の貫通孔部の総貫通面積の１．５倍以上の大きさに形成されていることが好ましい。また、前記隣合う２枚の板状体の貫通孔部は、その貫通面積が同じに形成されていることが好ましい。
ここで、貫通孔部の貫通面積とは、貫通孔部の各横断面（板厚方向に対し鉛直な断面）の面積のうち最も小さい面積を言い、例えば、最小開口部を有する貫通孔部の貫通面積は、最小開口部の横断面積である。また、板状体の貫通孔部の総貫通面積とは、流体の流通路を構成する全ての貫通孔部の貫通面積の和を言い、例えば、１つの流通路を構成する貫通孔部が４個の場合には、４つの貫通孔部の貫通面積を足したものである。
【０００８】
また、本発明の第３の手段は、複数の貫通孔部を有する少なくとも２枚の板状体を備え、前記各板状体の貫通孔部に流体を流通させることによりこれを混合する静止型混合装置であって、前記板状体のうちから任意に選ばれる隣合う２枚の板状体は、一方の板状体の貫通孔部の総貫通面積が他方の板状体の貫通孔部の総貫通面積の１．５倍以上である静止型混合装置に係る。
【０００９】
さらに、前記一方の板状体の貫通孔の中心点と他方の板状体の貫通孔部の中心点が異なる位置となるように板状体が設けられていることが好ましい。また、前記隣合う２枚の板状体のうち、一方の板状体が、他方の板状体よりも流体の下流側に配設されていることが好ましい。また、前記貫通孔部は、板状体の一面から他面方向に次第に縮径する縮径開口部を有することが好ましい。
【００１０】
【発明の実施形態】
以下、本発明の実施形態について、図面を参照しつつ詳細に説明する。尚、複数の板状体を個々に説明する場合、板状体を示す符号「３」に加えて、上流側の板状体から順に「ａ，ｂ…」のアルファベットを必要に応じて付記している。
＜第１実施形態＞
第１実施形態は、任意に選ばれる隣合う２枚の板状体間に於ける流体の流通路が、複数の貫通孔部と１個の貫通孔部によって構成されている形態について詳述する。
図１（ａ）は、静止型混合装置１の縦断面図で、（ｂ）は、並設された板状体３を流体の上流側から見た正面図である。図２は、第１及び第３の板状体３ａ，３ｃの正面図及び断面図で、図３は、第２の板状体３ｂの正面図及び断面図である。
【００１１】
図１において、１は、本発明に係る静止型混合装置を示す。この装置１は、筒状のケース体２と、該ケース体２内に設けられた複数の板状体３と、を備える。
【００１２】
ケース体２は、内部に板状体３を収納保持する収納部が設けられ、且つ一方端に配管用接続部５と他方端にフランジ部６が設けられた２個の筒状体７からなり、この２つの筒状体７のフランジ部６同士をパッキン４を介在させて付き合わせ、着脱可能な締付け具８によって気密的に一体化することにより構成されている。そして、この締付け具８を外して２つの筒状体７を分離することにより、板状体３を取り出すことができる。尚、図中、１０は、各板状体の位置決め孔に挿入脱可能な板状体回転防止用挿入棒を示し、１１は、板状体の枚数に応じて収納部の間隙を調整するリング状のスペーサーを示す。
【００１３】
このケース体２内には、少なくとも２以上の板状体３が、隣合う板状体３の板面を当接させた状態で並設されている。
本実施形態では、３枚の板状体３が並設されており、各板状体３には、その一面側から他面側に貫通する貫通孔部９が形成されている。各板状体３は、何れも同形同大であって、円筒状のケース体２内に挿入脱可能な円盤状に形成されている。また、この３枚の板状体３のうちから任意に選ばれる隣合う２枚の板状体３は、その一方の板状体３が複数個の貫通孔部９を有し、他方の板状体３は１個の貫通孔部９を有する。この一方の板状体３の複数個の貫通孔部９と、他方の板状体３の１個の貫通孔部９とによって、隣合う２枚の板状体３間に於ける流通路Ｒが構成されている。
【００１４】
具体的には、流体の上流側から順に、一方の板状体に相当する第１及び第３の板状体３ａ，３ｃは、同一であって、それぞれ４個の貫通孔部９が形成されている。また、他方の板状体に相当する第２の板状体３ｂは、１個の貫通孔部９が形成されている。各貫通孔部９は、図２及び図３に示すように、板状体３の表面及び裏面の相対位置に、最も面積が大きい円形の表面開口部１２及び裏面開口部１３が形成され、且つ板厚方向の中途部に貫通面積が最小となる最小開口部１４が形成されていると共に、表面開口部１２及び裏面開口部１３から最小開口部１４に向かうに従い次第に縮径する縮径開口部１５が連設された形状（全体として略鼓状）である。
そして、何れの板状体３の貫通孔部９も同形同大に形成されている。従って、第１又は第３の板状体３ａ，３ｃの貫通孔部９の総貫通面積は、第２の板状体３ｂの貫通孔部９の総貫通面積の４倍の大きさである。
【００１５】
また、第１及び第３の板状体３ａ，３ｃの各貫通孔部９は、表面開口部１２及び裏面開口部１３の周縁同士が接し、且つ板状体３の中心から放射状の位置に配置されている。一方、第２の板状体３ｃの貫通孔部９は、板状体３の中心に一致して形成されている。従って、３枚の板状体３をケース体２内に並設すると、図１（ｂ）に示すように、第１及び第３の板状体３ａ，３ｃと第２の板状体３ｂの貫通孔部９の中心点は異なる位置となる。
【００１６】
貫通孔部９の最小開口部１４の大きさは、特に限定されず流す流体に応じて種々に設定することができる。例えば、液−液を流体とする場合には直径０．１ｍｍ以上の円が形成できる寸法であることが好ましく、更に０．５ｍｍ以上の円が形成できる寸法であることがより好ましい。また、気−気を流体とする場合には、極めて小さく形成することができる。
【００１７】
また、貫通孔部９の表面開口部１２及び裏面開口部１３の大きさについても特に限定されないが、各板状体３の板面を当接させて並設しても貫通孔部９に流体が流通するように（つまり流体の流通路を確保すべく）、一方の板状体３の裏面開口部１３の周縁と他方の板状体３の表面開口部１２の周縁が交差する程度の大きさに形成されている。従って、第１の板状体３ａの各貫通孔部９を通過した流体は、第２の板状体３ｂの１個の貫通孔部９に集合し、更に、第３の板状体３ｃの各貫通孔部９に分流するというように、３枚の板状体３には、１つのルートの流通路Ｒが構成されている。
【００１８】
次に、上記静止型混合装置１の使用例を図４に示す。
図４中、Ｐは、流体を送出するポンプを、Ｔは、流体を貯蔵するタンクを、Ｓは送入管や送出管などの配管部を、Ｆは流体の流れ方向を示す。
混合する流体としては流動可能な物質であれば特に限定されず、同種又は異種の液−液、気−液、固−液、気−気、固−気、気−液−固など、任意のものを２以上組み合わせて使用することができる。
【００１９】
流体は、２種以上のものを予め予備混合したものをタンクＴに投入してもよいし、複数のタンクＴを準備してそれぞれ別に投入しておいてもよい。また、配管Ｓの途中で適宜投入するようにしてもよい。
【００２０】
そして、ポンプＰを作動させると、流体はタンクＴから送入管Ｓを通じて、装置１のケース体２内に圧送される。流体の圧力についても特に限定されないが、高圧にするほど流体の混合効率が高く、細かい粒子からなる分散体を得ることができる。
【００２１】
ケース体２内に送入された流体は、各板状体３の貫通孔部９によって構成された流通路Ｒを流通する。具体的には、図５の矢印で示すように、流体は、第１の板状体３ａの表面に当たり、この板状体３ａの４個の貫通孔部９へと分流する。更に、第１の板状体３ａの各貫通孔部９を通過した流体は、第２の板状体３ｂの表面に当たり渦を伴った複雑な流れを作りながら、この板状体３ｂの１個の貫通孔部９に集合した後、同様に第３の板状体３ｃの表面に当たり４個の貫通孔部９へ分流し、送出管Ｓから装置１外部へと送り出される。
【００２２】
本装置１によれば、流体を効率よく混合することができる。さらに、例えば相溶性のない流体同士等（例えば、水と油など）を流通させると、より粒子の細かい分散体を得ることができる。
この作用は、明確ではないが、貫通孔部９を通過する際、流体が拡大縮小し、流体同士又は板状体に激しく衝突して渦を伴った複雑な流れとなり、流体がキャビテーションを引き起こすためと考えられる。
さらに、第２の板状体３ｂを通過する際、分離した流体が１箇所の貫通孔部９に集合すること、及び、その後再び複数に分流することによって、流体に強い剪断力が働くためと考えられる。また、第２の板状体３ｂの貫通孔部９の総貫通面積は、第１又は第３の板状体３ａ，３ｃの貫通孔部９の総貫通面積に比して非常に小さいので、第２の板状体３ｂの貫通孔部９を通過する際の流速は、極めて早くなることから、流体が、第３の板状体３ｃの表面により強く当たり、流体が破砕されるためと考えられる。
【００２３】
＜第１実施形態の変形例＞
上記第１実施形態では、各板状体９を通じて構成される流通路Ｒが１つのルートのみのものを例示したが、これを複数ルートに構成することもできる。
例えば、２ルートの流通路Ｒ１，Ｒ２を構成する例として、図６及び図７に示すように、第２の板状体３ｂに、間隔を開けて２個（複数）の貫通孔部９を形成し、且つ第１及び第３の板状体３ａ，３ｃに、この第２の板状体３ｂのそれぞれの貫通孔部９に対応するように４個（複数）の貫通孔部９をそれぞれ形成し、３枚の板状体３を接触状態で並設させた装置１などが例示される。この変形例に係る装置１でも上記と同様の効果を奏する。
【００２４】
このように、各板状体３の貫通孔部９によって構成される流通路Ｒを、実質的に別個独立して構成すれば、構造的に複数の貫通孔部９が形成された板状体３（上記第２の板状体３ｂ等）を用いることも可能である。
このように、１個の貫通孔部９を有する板状体３とは、貫通孔部９が板状体３に１個形成されているという構造的な意味に限られず、実質的に独立した１つの流通路Ｒに対して１個の貫通孔部９を有するという意味も含まれる。つまり、任意に選ばれる隣合う２枚の板状体３間に於ける流通路Ｒ（複数ルートの流通路が構成されている場合には、そのうちの１つの流通路）が、複数の貫通孔部９と１個の貫通孔部９によって構成されていればよい。
【００２５】
また、第１実施形態では、３枚の板状体３が並設され、そのうちの第２の板状体３ｂが１個の貫通孔部９を有する装置１を例示したが、板状体３の数や貫通孔部９の数、１個の貫通孔部９を有する板状体３の配置などは適宜設計変更することができる。例えば、下記表１に種々の組み合わせを例示する。
【００２６】
【表１】
2004255320.tif 000003
【００２７】
表１に於いて、例１，２は、２枚の板状体、例３，４は、３枚の板状体、例５，６は、４枚の板状体、例７，８は、５枚の板状体が組み合わされたものを示す。また、例５，７，８は、１個の貫通孔部を有する板状体が２枚（複数）設けられたものを示す。また、例２を除いて、１個の貫通孔部を有する板状体は、複数の貫通孔部を有する板状体よりも流体の上流側に配置されている。このように１個の貫通孔部９を有する板状体３を上流側に配置すれば、流体の混合効率がより向上するので好ましい。
【００２８】
更に、第１実施形態では、流体の流速を早めるため、第１又は第３の板状体３ａ，３ｃの貫通孔部９の総貫通面積が、第２の板状体３ｂの貫通孔部９の総貫通面積の４倍大に形成されているが、総貫通面積の関係はこれに限定されるものではない。少なくとも２枚の板状体３のうちから任意に選ばれる隣合う２枚の板状体のうち、一方の板状体３の総貫通面積が他方の板状体３の総貫通面積の１．５倍以上、好ましくは２倍以上となるように形成されていればよい。また、一方の板状体３と他方の板状体３の総貫通面積の差が大きいほど流体の流れを早くできるので、その上限は特に限定されないが、総貫通面積の差が余りに大きすぎると流体が流れ難くなる場合もあるので、この点を考慮すると、一方の板状体３の総貫通面積が他方の板状体３の総貫通面積の１００倍以下、好ましくは１０倍以下に形成すればよい。
尚、各板状体３の総貫通面積を同じにしたり、或いは、１個の貫通孔部９を有する板状体３の総貫通面積を他の板状体３の総貫通面積よりも大きく形成してもよい。
【００２９】
また、図８に示すように、１個の貫通孔部９を有する板状体３として、貫通孔部９の表面開口部１２及び裏面開口部１３を大開口部とし且つ縮径開口部１５の傾斜角θを板面に対して鋭角に形成された板状体３を用いてもよい。この変形例に係る板状体３が並設された装置１は、図８（ｂ）に示すように、隣合う板状体３ａ，３ｃに極めて多くの貫通孔部９が形成されている場合でも、上流側の板状体３ａの多数の貫通孔部９から流れ出る流体を、１個の貫通孔部へと集合させ、且つ下流側の板状体３ｃの多数の貫通孔部９へ分流させることができるので好ましい。
【００３０】
＜第２実施形態＞
第２実施形態は、全ての板状体３が複数の貫通孔部９を有し、且つこれら複数の貫通孔部９によって１つの流通路Ｒが構成されている点で、上記第１実施形態と異なる。
主として第１実施形態と異なる部分について説明し、上記実施形態１と共通する部分の説明は、適宜省略し、各部の名称・図番などを援用することがある。
【００３１】
本実施形態の装置１は、少なくとも２枚の板状体３のうちから任意に選ばれる隣合う２枚の板状体３に関し、一方の板状体３の貫通孔部９の総貫通面積が他方の板状体３の貫通孔部９の総貫通面積の１．５倍以上、好ましくは２倍以上に形成されている。
【００３２】
具体的には、図９に示すように、この装置１は、ケース体２内に２枚の板状体３が並設されている。他方の板状体に相当する第１の板状体３ａは、図１０に示すように、４個の貫通孔部９が形成されており、一方の板状体に相当する第２の板状体３ｂは、図１１に示すように、５個の貫通孔部９が形成されている。そして、第１の板状体３ａと第２の板状体３ｂの貫通孔部９の中心点が異なる位置となるように（図９（ｂ）に示す）、各貫通孔部９はそれぞれ均等配置されている。
また、第１の板状体３ａの貫通孔部９の貫通面積（最小開口部１４）は、第２の板状体３ｂの貫通孔部９の貫通面積の１／４の大きさに形成されている。従って、第２の板状体３ｂは、その総貫通面積が第１の板状体３ａの５倍である。
【００３３】
かかる静止型混合装置１を用いて流体を混合すると、上記第１実施形態と同様の混合効果を得られる。これは、流体がキャビテーションを引き起こすこと、及び、第１の板状体３ａの貫通孔部９の総貫通面積が、第２の板状体３ｂの貫通孔部の総貫通面積に比して非常に小さい（具体的には１：５の比）ので、第１の板状体３ａの貫通孔部９を通過する際の流速が極めて早くなり、第２の板状体３ｂに強く当たって流体が破砕されるためと考えられる。
【００３４】
＜第２実施形態の変形例＞
第２実施形態に示す板状体３の数、貫通孔部９の数、貫通孔部９の貫通面積、各板状体３の総貫通面積の比率などは適宜設計変更することができる。例えば、表２に種々の組み合わせを例示する。尚、総貫通面積の比率は、貫通孔部の大きさや貫通孔部の数を変更することによって適宜に変更することができる。
【００３５】
【表２】
2004255320.tif 000004
【００３６】
表２に於いて、例１は、２枚の板状体、例２は、３枚の板状体、例３，４は、４枚の板状体、例５は、５枚の板状体が組み合わされたものを示す。また、例１を除いて、総貫通面積が１の比率の板状体が、上流側に配置されており、これらは流体の混合効率がより向上するので好ましい例である。
【００３７】
＜各実施形態に共通する変形例＞
（板状体について）
上記各実施形態では、隣合う板状体３は、板面が接触状態で並設されているので、より高速で流体を流通させることができるという利点があるが、これらは間隔を開けて並設してもよい。また、上記各実施形態に於いては、隣合う板状体３は、流通方向に対し鉛直に並設されているが、必ずしもこのように並設しなければならないわけではなく、上流側の板状体３から下流側の板状体３へと流れるように流通路Ｒが確保されるように並設されていればよい。
【００３８】
また、上記各実施形態では、板状体３は円盤状に形成されているが、この形状に限定されるものではなく、四角盤状などであってもよい。もっとも、均質な流れを得るために、厚みが一定で、表面が平滑で、更にケース体２の内周形状に適合したものが好ましい。尚、板状体３は、切削加工、鋳造、焼結成型など公知の方法で製作することができる。
【００３９】
（貫通孔部の形状について）
上記各実施形態の貫通孔部９は、板厚方向に鉛直な断面（横断面）形状が円形に形成されているが、この横断面形状に限定されるものでなく、例えば、楕円形、長円形、三角形、四角形、台形、星形、その他の多角形などの形状でもよい。中でも、横断面形状が、円形又は正方形や長方形などの正多角形が好ましい。さらに、上記各実施形態の貫通孔部９の横断面形状は、板厚方向全体を通して円形であるが、異種形状の組み合わせ形状（例えば、表面開口部１２及び裏面開口部１３の横断面形状が四角形で、最小開口部１４の横断面形状が円形など）であってもよい。
【００４０】
また、上記各実施形態の貫通孔部９は、板厚方向に沿った断面（縦断面）形状が、図２（ｂ）に示すような形状であるが、この縦断面形状はこれに限定されず、例えば、図１２（ａ）に示すような板面に鉛直な直線状、（ｂ）に示すような板面に斜交する直線状、（ｃ）に示すような曲線状、（ｄ）に示すような間隔が拡大する直線状、（ｅ）に示すような間隔が縮小する直線状、（ｆ）に示すような間隔が縮小する直線状と板面に鉛直な直線状の組み合わせ形状、（ｇ）に示すような板面に鉛直な直線状と間隔が拡大する直線状の組み合わせ形状、又、（ｈ）に示すような、その他任意の形状などでもよい。
尚、これら各種の横断面形状と縦断面形状を組み合わせた貫通孔部９の全体形状の一部を図１３の（ａ）〜（ｌ）に例示する。
【００４１】
さらに、板状体３について、必ずしも同一の形状及び／又は貫通面積の貫通孔部９を有するものに限定されず、各板状体３の貫通孔部９の形状及び／又は貫通面積をそれぞれ異なるものとしてもよい。例えば、第１の板状体３ａの貫通孔部９が円形で、且つ第２の板状体３ｂの貫通孔部９が四角形など、各板状体３に於ける貫通孔部９の形状を適宜に変更してもよい。
【００４２】
（貫通孔部の配置について）
各板状体３は、上記各実施形態のように、隣合う板状体３の貫通孔部９の中心点が異なる位置となるように配置することが好ましいが、複数個の貫通孔部９のうち一部の貫通孔部９が、隣合う板状体３の貫通孔部９の中心点と一致するように配置されていてもよい。隣合う板状体３の全ての貫通孔部９の中心点を一致させるように配置すると、流体は、下流側の板状体の表面に実質的に衝突することなく流れるが、全ての貫通孔部９の中心点が一致していなければ、衝突による剪断作用などを期待できるからである。
【００４３】
（ケース体について）
上記各実施形態のケース体２として、２個の筒状体７を一体化した構造のものを例示したが、これに限定されず、例えば１本の筒状体によって構成するなど適宜設計変更可能である。また、ケース体２の横断面形状は円形のほか、四角形、多角形などの種々の形状のものを使用してもよい。
また、本装置１に於いて、ケース体は、必ずしも必要なものではなく、例えば、新規に又は既設の配管部Ｓの途中に板状体３を直接取り付けて装置１を構成してもよい。具体的には、図１４に示すように、送入管Ｓ及び送出管Ｓの端部に、板状体３の表面に当接可能なリング状のフランジ部１７を設け、両フランジ部１７の間に少なくとも２枚以上の板状体３をパッキンを介して並設し、これらをネジ棒とナットなどの緊結具１８で全体を気密的に一体化したものなどが例示できる。
【００４４】
（ケース体や板状体の材質等）
上記各実施形態で用いるケース体２及び板状体３は、流体の圧力に耐えうる機械的強度を有する材質又は構造のものであれば特に限定されず、例えば、ステンレスなどの金属製、セラミック製、エンプラなどの合成樹脂製などを適宜用いることができる。更に、内面が平滑なもの、耐腐食性を有するものが好ましい。
【００４５】
（使用例について）
上記各実施形態の装置１の使用例として、図４に示す方法を例示したが、例えば、図１５に示すように、複数の装置１を直列又は並列に配置して使用してもよく、更に、必要に応じてケニックス型等の混合方式の異なる静止型混合器を併用することも可能である。また、タンクＴやポンプＳを複数使用してもよい。
さらに、通常、流体を１回通過させると、十分に混合されるが、必要に応じて、装置１に流体を複数回循環させて流通させてもよい。この場合、送出管の途中に切替バルブなどを設け、図４に示すように、返送管Ｓ１を別途設ければよい。
【００４６】
【実施例】
以下、実施例及び比較例を示して本発明を更に詳述する。
各実施例及び比較例には、下記。下のとおりである。
（１）用いた流体及び配合比率
流体１：水道水…９５重量部
流体２：白絞油（昭和産業株式会社製、商品名：大豆白絞め油）…５重量部
流体３：乳化剤（株式会社花王製、商品名：レオドールスーパーＴＷ−Ｏ１２０）…０．５重量部
（２）粒子径測定の使用機器
株式会社堀場製作所製、レーザ回析／散乱式粒子径分布測定装置（ＬＡ−３００形）
【００４７】
（３）使用した板状体（表３に要部を表示）
板状体▲１▼：図２に示す４個の貫通孔部を有する形状のもの。表面開口部及び裏面開口部の直径Ｌ…６（ｍｍ）。最小開口部Ｍ…２（ｍｍ）。板厚Ｄ…５（ｍｍ）。縮径開口部の傾斜角θ…４５度。貫通面積…π（ｍｍ２）。総貫通面積…４π（ｍｍ２）。
板状体▲２▼：図３に示す１個の貫通孔部を有する形状のもの。表面開口部及び裏面開口部の直径Ｌ…６（ｍｍ）。最小開口部Ｍ…２（ｍｍ）。板厚Ｄ…５（ｍｍ）。縮径開口部の傾斜角θ…４５（度）。貫通面積…π（ｍｍ２）。総貫通面積…π（ｍｍ２）。
板状体▲３▼：図８に示す１個の貫通孔部を有する形状のもの。表面開口部及び裏面開口部の直径Ｌ…２５（ｍｍ）。最小開口部Ｍ…４（ｍｍ）。板厚Ｄ…５（ｍｍ）。縮径開口部の傾斜角θ…１１（度）。貫通面積…４π（ｍｍ２）。総貫通面積…４π（ｍｍ２）。
板状体▲４▼：図１０に示す４個の貫通孔部を有する形状のもの。表面開口部及び裏面開口部の直径Ｌ…６（ｍｍ）。最小開口部Ｍ…１（ｍｍ）。板厚Ｄ…５（ｍｍ）。縮径開口部の傾斜角θ…４５（度）。貫通面積…０．２５π（ｍｍ２）。総貫通面積…π（ｍｍ２）。
板状体▲５▼：図１１に示す５個の貫通孔部を有する形状のもの。表面開口部及び裏面開口部の直径Ｌ…６（ｍｍ）。最小開口部Ｍ…２（ｍｍ）。板厚Ｄ…５（ｍｍ）。縮径開口部の傾斜角θ…４５（度）。貫通面積…π（ｍｍ２）。総貫通面積…５π（ｍｍ２）。
【００４８】
【表３】
2004255320.tif 000005
【００４９】
実施例１
実施例１は、図１（ａ）に示す円筒状ケース体内に、上流側から順に、板状体▲１▼、板状体▲２▼、板状体▲１▼の３枚の板状体が接触状態で並設された装置を使用した。
図４に示すように、タンク及びポンプを設置し、このタンク内に、予め攪拌棒を用いて予備混合した流体１〜３の混合物を約１０リットル（液温３０℃）投入し、３（ＭＰａ）の圧力で装置内に圧入し、装置内に１回流通させた。連続して約２分間運転し、このうち約１分後に得られた流体の粒子径を測定した。また、ストップウォッチとメスシリンダーを用いて流量を測定し、流路断面で割って流速を測定したところ、第２の板状体▲１▼の貫通孔部では、２４６．０（ｍ／ｓ）、第３の板状体▲２▼の貫通孔部では、６１．５（ｍ／ｓ）であった。
各実施例、比較例の試験結果を表４に示す。尚、比較例２を除き、粒度分布には大きな差は見られなかった。
【００５０】
【表４】
2004255320.tif 000006
【００５１】
実施例２
実施例２は、上流側から順に、板状体▲１▼、板状体▲５▼、板状体▲２▼の３枚の板状体が接触状態で並設された装置を使用した。そして、実施例１と同様にして流体１〜３の混合物を流し、粒子径を測定した。尚、第１の板状体▲１▼の貫通孔部での流速は１６４．０（ｍ／ｓ）で、第２の板状体▲５▼の貫通孔部での流速は１３１．０（ｍ／ｓ）であった。
実施例３
実施例３は、上流側から順に、板状体▲５▼、板状体▲３▼の２枚の板状体が接触状態で並設された装置を使用した。そして、実施例１と同様にして流体１〜３の混合物を流し、粒子径を測定した。尚、第１の板状体▲５▼の貫通孔部での流速は１２７．０（ｍ／ｓ）で、第２の板状体▲３▼の貫通孔部での流速は１５９．０（ｍ／ｓ）であった。
実施例４
実施例４は、上流側から順に、板状体▲４▼、板状体▲５▼の２枚の板状体が接触状態で並設された装置を使用した。そして、実施例１と同様にして流体１〜３の混合物を流し、粒子径を測定した。尚、第１の板状体▲４▼の貫通孔部での流速は２４６．０（ｍ／ｓ）で、第２の板状体▲５▼の貫通孔部での流速は４９．２（ｍ／ｓ）であった。
【００５２】
比較例１
比較例１は、各板状体に複数の貫通孔部が形成され、且つ各板状体の総貫通面積が略等しいものであって、上流側から順に、板状体▲５▼、板状体▲１▼の２枚の板状体が当接状態で並設された装置を使用した。そして、実施例１と同様にして流体１〜３の混合物を流し、粒子径を測定した。尚、第１の板状体▲５▼の貫通孔部での流速は１５７．０（ｍ／ｓ）で、第２の板状体▲１▼の貫通孔部での流速は１９６．０（ｍ／ｓ）であった。
比較例２
比較例２は、板状体▲２▼を１枚のみの装置を使用した。そして、実施例１と同様にして流体１〜３の混合物を流し、粒子径を測定した。尚、第１の板状体▲２▼の貫通孔部での流速は２５９．０（ｍ／ｓ）であった。
【００５３】
表４から明らかな通り、各実施例では白絞油がより細かい粒子となって分散していることが判る。
また、実施例３と比較例１を比べると、板状体の数や第１の板状体と第２の板状体の総貫通面積が一致するが、１個の貫通孔部を有する板状体を用いた実施例３の方が優れている。さらに、実施例４と比較例１を比べると、板状体の数や貫通孔部の数は略一致するが、小さい総貫通面積を有する板状体を用いた実施例４の方が優れている。また、実施例１と実施例２を比較すると、実施例１の方が優れていることから、１個の貫通孔部を有する板状体が、複数個の貫通孔部を有する板状体よりも上流側に配置する方が好ましいことが判る。
【００５４】
【発明の効果】
以上の通り、本発明の静止型混合装置は、従来の装置よりも、更に混合効率に優れており、流体を流すだけで、効率よく流体を混合することができる。さらに、より粒子の細かい分散体を作製することができる。
また、本発明の装置によれば、処理する流体が少量であっても、十分に混合することができ、粒子の細かい分散体を作製することができる。
【図面の簡単な説明】
【図１】（ａ）は第１実施形態に係る静止型混合装置の縦断面図を示し、（ｂ）は、ケース体内に並設された板状体を流体の上流側から見た正面図を示す。
【図２】（ａ）は、第１実施形態に係る第１及び第３の板状体の正面図を示し、（ｂ）はそのＡ−Ａ線断面図、（ｃ）はそのＢ−Ｂ線断面図を示す。
【図３】（ａ）は、第１実施形態に係る第２の板状体の正面図を示し、（ｂ）はそのＡ−Ａ線断面図を示す。
【図４】本装置の使用例を示す概念図。
【図５】第１実施形態に係る静止型混合装置の使用状態を示す一部省略縦断面図。
【図６】（ａ）は、第２の板状体の変形例を示す正面図、（ｂ）は、第１及び第３の板状体の変形例を示す正面図、（ｃ）は、これらを並設した状態を流体の上流側から見た正面図を示す。
【図７】図６の板状体を並設した静止型混合装置の使用状態を示す一部省略縦断面図。
【図８】（ａ）は、第２の板状体の他の変形例を示す正面図、（ｂ）は、それを第１及び第３の板状体の間に並設した静止型混合装置の一部省略縦断面図。
【図９】（ａ）は、第２実施形態に係るに係る静止型混合装置の縦断面図を示し、（ｂ）は、この並設された板状体を流体の上流側から見た正面図を示す。
【図１０】（ａ）は、第２実施形態に係る第１の板状体の正面図を示し、（ｂ）はそのＡ−Ａ線断面図、（ｃ）はそのＢ−Ｂ線断面図を示す。
【図１１】（ａ）は、第２実施形態に係る第２の板状体の正面図を示し、（ｂ）はそのＡ−Ａ線断面図を示す。
【図１２】（ａ）〜（ｈ）は、板状体の貫通孔部の縦断面形状の各種変形例を示す一部省略縦断図。
【図１３】（ａ）〜（ｌ）は、貫通孔部の全体形状の各種変形例を示す斜視図。
【図１４】ケース体を用いない装置の変形例を示す一部縦断面図（配管部のみ断面で示す）。
【図１５】（ａ），（ｂ）は、本装置の他の使用例を示す概念図。
【符号の説明】
１…静止型混合装置、２…筒状ケース体、３…板状体、３ａ…第１の板状体、３ｂ…第２の板状体、３ｃ…第３の板状体、９…貫通孔部、１２…表面開口部、１３…裏面開口部、１４…最小開口部、１５…縮径開口部、Ｒ…流通路、Ｐ…ポンプ、Ｔ…タンク
【図１】
2004255320.tif 000007
【図２】
2004255320.tif 000008
【図３】
2004255320.tif 000009
【図４】
2004255320.tif 000010
【図５】
2004255320.tif 000011
【図６】
2004255320.tif 000012
【図７】
2004255320.tif 000013
【図８】
2004255320.tif 000014
【図９】
2004255320.tif 000015
【図１０】
2004255320.tif 000016
【図１１】
2004255320.tif 000017
【図１２】
2004255320.tif 000018
【図１３】
2004255320.tif 000019
【図１４】
2004255320.tif 000020
【図１５】
2004255320.tif 000021